(57)【特許請求の範囲】
【請求項１】
操作ボタンと連動するピストン部およびこれと一体になった内容物収納用の軟質筒状部材の両者が、容器内部減圧防止用の孔部を有するシリンダの内部を往復動するとともに、当該ピストン部は、少なくともその最終的な復動位置で当該減圧防止用孔部に対する容器内外間のシール作用を行うシール部分を有し、当該ピストン部の往復動により、内容物を当該軟質筒状部材の中にいったん収容してから放出用通路に送り出す機能を持った容器用ポンプにおいて、
前記シリンダは、その内部に、
前記復動位置の前記シール部分が接触して前記減圧防止用孔部に対するシール作用を行うための小径部分と、
この小径部分の上流側に続き、前記ピストン部が往動して前記復動位置から内容物放出状態へと遷移する際の初期段階で前記シール部分と当該小径部分とのそれまでの接触を解除し、その後も当該解除状態を継続するための大径部分と、
を備えていることを特徴とする容器用ポンプ。
【請求項２】
前記シール部分は、上側環状端部および、当該上側環状端部よりも大径の下側環状端部を有し、
前記シリンダには、上側から順に、
前記復動位置の前記上側環状端部への前記小径部分として作用する第１の内周面と、
当該第１の内周面よりも大径であって、前記復動位置の前記下側環状端部への前記小径部分として作用し、かつ、前記初期段階の前記上側環状端部への前記大径部分として作用する第２の内周面と、
当該第２の内周面よりも大径であって、前記初期段階の前記下側環状端部への前記大径部分として作用する第３の内周面と、が形成されている、
ことを特徴とする請求項１記載の容器用ポンプ。
【請求項３】
操作ボタンと連動するピストンおよびこれと一体になった内容物収納用の軟質筒状部材の両者がシリンダ内部を往復動することにより、内容物を当該軟質筒状部材の中にいったん収容してから放出用通路に送り出す機能を備えた容器用ポンプにおいて、
前記軟質筒状部材の往復動範囲に対応するシリンダ部分に、内容物によって膨らんだ状態の当該軟質筒状部材とシリンダ内周面との接触面積を少なくするための孔部や凹部を形成した、
ことを特徴とする容器用ポンプ。
【発明の詳細な説明】
【０００１】
【発明の属する技術分野】
本発明は、操作ボタンと連動するピストンおよびこれと一体になった軟質筒状部材の両者がシリンダ内部を往復動することにより、内容物を軟質筒状部材の中にいったん収容してから放出用通路に送り出す機能を備えた容器用ポンプに関する。なお、本明細書においては、説明の便宜上、必要に応じ、蛇腹部を軟質筒状部材の一例として用いることにする。
【０００２】
このポンプは、化粧品、パウダー、乳液などの各種内容物を入れた容器に取り付けられて使用されるものであり、特にピストン往動（下動）の際の（シリンダに形成した）減圧防止用孔部に対するシール作用を瞬時に解除するとともに当該往動時のシール部分とシリンダ内周面との間の抵抗を減少させ、またピストン復動用のスプリングを長く、かつ露出させないようにし、さらには蛇腹部とシリンダ内周面との接触をできるだけ少ないものにすることにより、使い勝手を良く、また利用者の安全性を確保したものである。
【０００３】
【従来の技術】
ピストン部およびこれに取り付けた蛇腹部の両者が減圧防止用孔部を有するシリンダの内部を往復動する形式の容器用ポンプ自体は公知であり、例えば特公昭５１ー１５２４５号公報で開示のものがある。なお、以下の括弧内の番号はこの公報で付された番号を示している。
【０００４】
この形式の容器用ポンプの場合、ピストン部が往復動するシリンダ（２）の周面には、使用にともなって容器内部が減圧状態となるのを防止するため、ピストン部が往動して使用モードとなったときに容器内部と外部空間とを連通させる減圧防止用孔部（通孔１９が相当）を形成している。この減圧防止用ルートは内容物放出用ルートとは別である。
【０００５】
一方、ピストン部が最終的な復動位置にある非使用モードでは減圧防止用孔部をシールし（パッキング３７が相当）、誤って容器を横倒ししたときなどに減圧防止用ルートを通って内容物が漏れることのないようにしている。
【０００６】
減圧防止用孔部（通孔１９）を有するシリンダ（２）の内径はピストン（３）の移動範囲全体にわたって同一であり、シール部分（ピストン３と一体のパッキング３７）はその作用が不要な往復動の間もシリンダ内周面に接触した状態になっている。
【０００７】
また、ピストン部の往動時の抵抗を少なくするため、シリンダ内周面と前記蛇腹部との間の空間部に対する通気孔（通孔２０が相当）を当該シリンダに形成している。
【０００８】
図５は、ピストン部およびこれに取り付けた蛇腹部の両者が減圧防止用孔部を有するシリンダの内部を往復動する形式の容器用ポンプの先行例を示す説明図である。
図５において、
１は、放出用通路１ａを有し、上下動する操作ボタン
２は、ボールなどの上方弁
３は、スプリング７の上側取付部３ａを有し、操作ボタン１と上部で嵌合して、下部には後述の中間円筒状部８を取り付けたピストン
４は、スプリング７の下側受け部４ａを有し、容器開口首部に取り付けられるキャップ
５は、環状のシール部材
６は、上部に形成した鍔部６ａでキャップ４の内側上部と嵌合し、周面には減圧防止用孔部６ｂを有するシリンダ
７は、上端部７ａが上側取付部３ａに、また下端部７ｂが下側受け部４ａにそれぞれ支持された状態でピストン３を上方に付勢するスプリング
８は、上部がピストン３の下部と嵌合して当該ピストンと連動し、下部には後述の蛇腹部９の上端部が固定され、また、外側環状部８ａ（シール部分）、複数の通気孔８ｂおよび内側上縁部８ｃを有して、ピストン３の上動位置のときに減圧防止用孔部６ｂを外側環状部８ａでシールするための中間円筒状体
９は、上部が中間円筒状体８に、下部が後述の中子１１にそれぞれ固定された蛇腹部
１０は、シリンダ６の下部と螺合し、上側凹部１０ａを有する円筒状の吸上管接続体
１１は、吸上管接続体１０の上側凹部１０ａと嵌合し、内周面には蛇腹部９の下端部が固定されている円筒状の中子
１２は、吸上管接続体１０の上側凹部１０ａと中子１１との間に一部が挟まれた形で取り付けられ、下部には内容物通過用孔部１２ａを、また上部外周面には縦方向に複数の溝部１２ｂを形成した柱状体
１３は、ボールなどの下方弁
１４は、内容物の吸上管
をそれぞれ示している。
【０００９】
この容器用ポンプのピストン３が上動した状態では上方弁２および下方弁１３はともに閉じ、その前のピストン３の復動時に蛇腹部９の中に内容物が収容されたままになっている。
【００１０】
このとき、
・中間円筒状体８の内側上縁部８ｃがその一周にわたって柱状体１２の上側外周面に当接し、
・シリンダ６の減圧防止用孔部６ｂは中間円筒状体８の外側環状部８ａによってシールされている。
【００１１】
この当接やシールのおかげで、図５の状態の容器が倒れたとしても蛇腹部９の中や容器内部の内容物が外部に漏れることはない。
【００１２】
続いて、操作ボタン１をスプリング７の付勢力に抗して下方に押すと、蛇腹部９はその内部容積が小さくなって圧が高くなり、上方弁２が開くため、そこに入っていた内容物は、溝部１２ｂーピストン３の内部ー上方弁２ー放出用通路１ａを通って外部空間に放出される。
【００１３】
このとき、
・下方弁１３は閉じたままで、
・中間円筒状体８の外側環状部８ａは減圧防止用孔部６ｂから外れて
・シリンダ６の内周面と蛇腹部９との間の気体は通気孔８ｂなどから排気されている。
【００１４】
内容物の放出が終了すると、上方弁２は自重のために下動し、利用者が操作ボタン１の押圧を止めるまでこの状態が継続されることになる。
【００１５】
この状態で利用者が操作ボタン１の押圧を止めると、シリンダ６、中間円筒状体８および蛇腹部９の一体物がスプリング７の作用により復動してもとの状態に戻る。
【００１６】
この復動の際、蛇腹部９はその内部容積が大きくなって圧が低くなるため、下方弁１３が開き、容器内部から内容物が、吸上管１４ー下方弁１３ー内容物通過用孔部１２ａを通じて蛇腹部９に入り込む。
【００１７】
このような容器用ポンプのスプリング７は露出し、スプリング７の下端部７ｂはキャップ４に形成された下側受け部４ａで止められている。またピストンが往復動する際の蛇腹部９が移動する範囲のシリンダ内周面には孔部や溝部などの凹部は形成されてなく、単なる円筒状のものであった。
【００１８】
【発明が解決しようとする課題】
このように、従来の蛇腹部を用いた容器用ポンプは、シリンダの内径がピストンの移動範囲全体にわたって同一であり、減圧防止用孔部に対するピストンのシール部分が、その本来の作用を行なう必要のない使用モードの往復動の間もシリンダ内周面に常に接触しているため、ピストン移動時のシリンダ内周面との間の抵抗を減らすことが難しく、利用者にとって操作性の悪いものであった。
【００１９】
前述の容器用ポンプの先行例はスプリングは露出した状態だったので、利用者が操作する際にスプリングに手を挟むといった危険性があった。
【００２０】
また、容器用ポンプのスプリングの下端部はキャップ上部に設定されていたので、スプリングの長さが短かく、ピストンが復動するときにピストンを上へ付勢する力が小さいので内容物が蛇腹部内に流入する時間がかかる。したがって、利用者が必要な量を出すためにこの容器用ポンプを連続して複数回操作しなければならないときには時間がかかり、使い勝手が悪いという問題があった。
【００２１】
また、ピストンの復動にともない、吸上管から吸い上げられた内容物は蛇腹部内部に流入する。これによって蛇腹部は膨らんだ状態となり、この外周がシリンダ内周面に接触し易くなる。したがって、ピストンが往動するとき、すなわち操作ボタンを押すときに膨らんだ蛇腹部の外周とシリンダ内周面との間の抵抗が大きくなり、ピストンの移動がスムーズでなく操作性の悪いものであった。
【００２２】
さらに、膨らんだ蛇腹部の外周はシリンダ内周面と接触し易くなるため、何回か使用している間にこの蛇腹部の外周やシリンダ内周面が磨耗するといった問題があった。
【００２３】
そこで、本発明では、
・シリンダの内径を、減圧防止用孔部に対するピストンのシール作用が必要な範囲とそれが不要な範囲とで異ならせる、
・この内径の違いによって生じる（シリンダ内周面とシール部分との間の）隙間部分を前記通気孔としても用いる、
・スプリングをカバー用筒状部で覆う、
・スプリングの下側受部をシリンダの内周面に設定してスプリングを長くする、・蛇腹部の移動範囲に対応したシリンダ内周面に溝などを形成する、
などにより、ピストンが移動するときにシール部分や蛇腹部とシリンダ内周面との接触面積をできるだけ少ないものにしてピストンの移動をスムーズにし、さらにはピストン復動用のスプリングを露出させずに、またその設定範囲を長いものとすることにより、操作性、耐久性に優れ、生産効率が良くまた使用時に危険性がないなど使い勝手の良い容器用ポンプを提供することを目的とする。
【００２４】
【課題を解決するための手段】
本発明はこれらの課題を次のようにして解決する。
（１）操作ボタン（例えば後述の操作ボタン１）と連動するピストン部（例えば後述のピストン３，中間円筒状体８）およびこれと一体になった内容物収納用の軟質筒状部材（例えば後述の蛇腹部９）の両者が、容器内部減圧防止用の孔部（例えば後述の孔部６ｂ）を有するシリンダ（例えば後述のシリンダ６）の内部を往復動するとともに、当該ピストン部は、少なくともその最終的な復動位置で当該減圧防止用孔部に対する容器内外間のシール作用を行うシール部分（例えば後述の外側環状部８ａ）を有し、当該ピストン部の往復動により、内容物を当該軟質筒状部材の中にいったん収容してから放出用通路（例えば後述の放出用通路１ａ）に送り出す機能を持った容器用ポンプにおいて、
前記シリンダは、その内部に、
前記復動位置の前記シール部分が接触して前記減圧防止用孔部に対するシール作用を行うための小径部分（例えば後述の内径Ｄ1のシリンダ内面，内径Ｄ2のシリンダ内面）と、
この小径部分の上流側に続き、前記ピストン部が往動して前記復動位置から内容物放出状態へと遷移する際の初期段階で前記シール部分と当該小径部分とのそれまでの接触を解除し、その後も当該解除状態を継続するための大径部分（例えば後述の内径Ｄ2のシリンダ内面，内径Ｄ3のシリンダ内面）と、
を備えたものとする。
（２）上記（１）において、
前記シール部分は、上側環状端部および、当該上側環状端部よりも大径の下側環状端部を有し、
前記シリンダには、上側から順に、
前記復動位置の前記上側環状端部への前記小径部分として作用する第１の内周面（例えば後述の内径Ｄ1のシリンダ内面）と、
当該第１の内周面よりも大径であって、前記復動位置の前記下側環状端部への前記小径部分として作用し、かつ、前記初期段階の前記上側環状端部への前記大径部分として作用する第２の内周面（例えば後述の内径Ｄ2のシリンダ内面）と、
当該第２の内周面よりも大径であって、前記初期段階の前記下側環状端部への前記大径部分として作用する第３の内周面（例えば後述の内径Ｄ3のシリンダ内面）と、
を形成する。
（３）操作ボタン（例えば後述の操作ボタン１）と連動するピストン（例えば後述のピストン３，中間円筒状体８）およびこれと一体になった内容物収納用の軟質筒状部材（例えば後述の蛇腹部９）の両者がシリンダ（例えば後述のシリンダ６）内部を往復動することにより、内容物を当該軟質筒状部材の中にいったん収容してから放出用通路（例えば後述の放出用通路１ａ）に送り出す機能を備えた容器用ポンプにおいて、
前記軟質筒状部材の往復動範囲に対応するシリンダ部分に、内容物によって膨らんだ状態の当該軟質筒状部材とシリンダ内周面との接触面積を少なくするための孔部（例えば後述の孔部６ｄ）や凹部を形成する。
【００２５】
シリンダの内径を、減圧防止用孔部に対するピストンのシール作用が必要な範囲とそれが不要な範囲とで異ならせる、すなわち前者の範囲ではピストンの（減圧防止用孔部に対する）シール部分がシリンダ内周面に確実に接触する程度の大きさとし、また、後者の範囲ではこれら両者が接触することのないような大きさにすることによって、ピストン往復動時のシール部分とシリンダ内周面との間の抵抗は少なくしている。
【００２６】
さらには、シリンダの内径の違いによって生じる、シリンダ内周面とシール部分との間の隙間部分を前記通気孔としても用いるなどにより、減圧防止用孔部と通気孔の二種類の貫通部を設けなくても良いようにしている。
【００２７】
また、容器開口部に取り付けられるキャップ中央開口部に続く上方空間部分にカバー用筒状部を形成し、スプリングを覆うようにしている。
【００２８】
また、スプリングの下側受け部をシリンダの内周面に形成し、スプリングの長さを長く設定することによって、ピストンが復動するときにピストンを上に付勢する力が強くなり、内容物が早く蛇腹部内に流入するようにしている。
【００２９】
また、蛇腹部の上下方向の移動範囲と対応した部分のシリンダ内周面に孔部や溝部などの凹部を形成することによって、ピストンが復動したときに吸い上げられた内容物によって膨らんだ状態となった蛇腹部の外周が、シリンダ内周面に接触する面積を少なくして蛇腹部のシリンダ内の動きをスムーズにしている。
【００３０】
【発明の実施の形態】
図１乃至図４を参照して本発明の実施の形態を説明する。
図１はピストンの上動状態を、図２はピストンの下動状態を、図３(a) は減圧防止用孔部に対するシール状態の拡大図を、図３(b) は(a) のシール作用が解除された状態の拡大図を、図４は蛇腹部の上下方向の移動範囲と対応した部分のシリンダの断面図（図１のＨ−Ｈ' 部分）をそれぞれ示している。
【００３１】
これらの図において、
４ｂは、スプリング７を覆うためにキャップ４の中央開口部から上方に形成され、上部が操作ボタンと嵌合するカバー用筒状部
６ｃは、スプリング７の下側受部としてシリンダ内周面に形成した凸部
６ｄは、蛇腹部９の上下方向の移動範囲と対応した部分のシリンダの内周面に形成した孔部（貫通部）
Ａは、内容物吸上用・放出用ルート
Ｂは、減圧防止用ルート
Ｃは、シリンダ６の内周面と中間円筒状体８の外側環状部８ａとの隙間部分
Ｌ1 およびＬ1'は、中間円筒状体８の外側環状部（シール部分）８ａと対向するシリンダ内面の上方部分
Ｌ2 およびＬ2'は、中間円筒状体８の外側環状部（シール部分）８ａと対向するシリンダ内面の下方部分
Ｄ1 は、シリンダ内面の上方部分Ｌ1 に続く最上部分の内径
Ｄ2 は、シリンダ内面の上方部分Ｌ1'の内径（Ｄ2 ＞Ｄ1 ）
Ｄ3 は、シリンダ内面の下方部分Ｌ2'の内径（Ｄ3 ＞Ｄ2 ）
をそれぞれ示している。ここで凸部６ｃはシリンダ６と一体成形されており、これが可能なのはシリンダ６と吸上管接続体１０とを別体にしているからである。
なお、他の構成要素については図５の参照番号をそのまま用いている。
【００３２】
本発明の特徴的な構成の１つは、シリンダ６の内径を、スプリング７の作用によりピストン３がもっとも上動した図１、図３(a) の状態の、
・外側環状部（シール部分）８ａと対向する上方部分Ｌ1 、Ｌ1'と、
・その下方部分Ｌ2 、Ｌ2'と、
で違えていることである。
【００３３】
すなわち、上方部分Ｌ1 、Ｌ1'の内径は、例えば誤って容器を倒したときなどに減圧防止用ルートＢ（図２参照）から内容物が漏れることのないように、外側環状部８ａの上下縁部それぞれがシリンダ６の内周面に確実に接触するような値にしている。
【００３４】
一方、下方部分Ｌ2 、Ｌ2'の内径は上方部分Ｌ1 、Ｌ1'よりも大きな値にして、図１、図３(a) の状態のピストン３が下動し、少なくとも外側環状部８ａの下縁部が上方部分からこの範囲に入り込んだ段階で、シリンダ６の内周面と外側環状部８ａの上下縁部それぞれとのそれまでの接触を解除し、またはより少ないものにすることにより、ピストン３の上下動をスムーズにしている。
【００３５】
なお、上方部分Ｌ1 および下方部分Ｌ2 のそれぞれを下方向にみていくとき、先ずテーパ状に広がってそれに続く非テーパ状の平面部分Ｌ1'およびＬ2'が同一内径部となっている。
【００３６】
ピストン３の上動位置〔図１、図３(a) 参照〕では、外側環状部８ａの上縁部が上方部分Ｌ1 のテーパ部の略上側端部（内径Ｄ1 の部分）に接触し、その下縁部が上方部分Ｌ1'略下側端部（内径Ｄ2 の部分）に接触し、これら上下縁部で減圧防止用孔部６ｂをシールしている。
【００３７】
この状態からピストン３が少しだけ下動すると、
・外側環状部８ａの上縁部は、上方部分Ｌ1 の略上側端部（内径Ｄ1 の部分）からその先の同一内径部（内径Ｄ2 の部分）へと、
・外側環状部８ａの下縁部は、下方部分Ｌ2 の略上側端部（内径Ｄ2 の部分）からその先の同一内径部（内径Ｄ3 の部分）へと、
それぞれ移動して〔図２、図３(b) 参照〕、それまでのシリンダ６の内周面と外側環状部８ａの上下縁部との接触が解除されることになる。
【００３８】
また、シリンダ６の内周面に対する外側環状部８ａの接触態様をその上端部と下端部だけのいわば線接触に近い形にすることにより、図１の状態のピストンが下方への移動を開始するときの動作もスムーズなものにしている。
【００３９】
なお、中間円筒状体８をピストン３とは別に設けずに、ピストン３自体に減圧防止用孔部６ｂのシール部分を形成するようにしてもよいことは勿論であり、本明細書で用いる「ピストン部」とはこのシール部分や中間円筒状体を含めた概念である。
【００４０】
以上のことに関連するもう一つの特徴は、ピストン３が下動するとき、シリンダ６の内周面と蛇腹部９との間の空間部の空気を、通気孔８ｂの他に、シリンダ６と外側環状部８ａとの隙間部分Ｃから減圧防止用ルートＢの方に排出できることである。
【００４１】
この場合、図３(a) の状態のピストン３が移動し始めるときには通気孔８ｂによる排出作用が必須であるが、少し移動して図３(b) となった後は隙間部分Ｃからの排出作用が積極的に行なわれる。
【００４２】
さらなる特徴は、ピストン３がもっとも上動したとき、つまりスプリングが最長になったときにも、スプリングが露出しないようにキャップの中央部を上方向に延長したカバー用筒状部４ｂでスプリング７を覆い、利用者が操作時に手を挟むことなどがないようにしていることである。
【００４３】
なお、カバー用筒状部４ｂはキャップ４と別体で形成してスプリング７を覆うようにしても良い。
【００４４】
また、スプリング下端部７ｂをシリンダ内周面の凸部６ｃで受け、スプリング７の長さを長くしてピストン３を上方に付勢する力を強力にし、ピストンが復動したときに内容物が早く蛇腹部９内に流入するようにしている。
【００４５】
さらに蛇腹部９の上下方向の移動範囲と対応した部分のシリンダ６の内周面に、孔部６ｄを上下方向に形成し、蛇腹部９のシリンダ内の動きをスムーズにしている。なお、この孔部６ｄは、蛇腹部９の外周面とシリンダ内周面との接触面積を少なくすることができるものであればどのような形状でも良く、例えば有底の溝状のものでも良い。
【００４６】
次に、この実施の形態の作用を説明する。
図１のピストン３が上動した状態では上方弁２および下方弁１３はともに閉じ、その前のピストン３の復動時に蛇腹部９の中に内容物が収容されたままになっている。なお、蛇腹部９は内容物で膨らみ、シリンダ６の内周面に接触しやすい状態となっている。
【００４７】
続いて、図２のように操作ボタン１をスプリング７の付勢力に抗して下方に押す。スプリング７はカバー用筒状部４ｂで覆われているので利用者が手などを挟むといった危険はない。また、操作ボタン１を押すことに伴いピストン３、中間円筒状体８、シール部分８ａ、蛇腹部９が下方向に移動する。シリンダの下方部分Ｌ2'の内径Ｄ3 は上方部分Ｌ1 の内径Ｄ2 よりも大きいので、外側環状部８ａが移動するときのシリンダ６に対する抵抗は少ない。（図３参照）
【００４８】
また、ピストン３が下動したとき、シリンダ６と外側環状部８ａとの間に隙間部分Ｃが形成されるので、シリンダ６の内周面と蛇腹部９との間の気体は通気孔８ｂの他に、この隙間部分Ｃからも減圧防止用ルートＢの方に排気される。
【００４９】
さらに、シリンダ６の内周面には孔部６ｄを設けているので、内容物で膨らんだ状態になっている蛇腹部９の外周面とシリンダ内周面とが接触する面積は少なくなる。したがってピストン３が往動するとき、すなわち操作ボタン１を押すときの動きはスムーズである。
【００５０】
図２の状態で利用者が操作ボタン１の押圧を止めると、シリンダ６、中間円筒状体８および蛇腹部９の一体物がスプリング７の作用により復動して図１の状態に戻る。
【００５１】
この復動の際、蛇腹部９はその内部容積が大きくなって圧が低くなるため、下方弁１３が開き、容器内部から内容物が、吸上管１４ー下方弁１３ー内容物通過用孔部１２ａの内容物吸上用ルートＡを通じて蛇腹部９に入り込む。スプリング下端部７ｂはシリンダ内に設けられた凸部６ｃで受けられているのでスプリング７は従来よりも長い。したがって、スプリング７が復動するときにピストン３を上方に付勢する力は強力になり、内容物が再び蛇腹部９に流入する速度は早くなる。
【００５２】
【発明の効果】
本発明は、このように、シリンダの内径を、減圧防止用孔部に対するピストンのシール作用が必要な範囲とそれが不要な範囲とで異ならせる、すなわち前者の範囲ではピストンの（減圧防止用孔部に対する）シール部分とシリンダ内周面とが確実に接触する程度の大きさとし、また、後者の範囲ではこの接触が解除されるような大きさとしており、さらにはこの接触解除による両者間の隙間部分がピストン往動時の蛇腹部（軟質筒状部材）とシリンダ内周面との空間部の排気用としても作用するので、ピストン往復動時の抵抗が少なく、使い勝手や生産効率の点で優れた容器用ポンプを提供することができる。
【００５３】
また、容器開口部に対するキャップ中央部側を上方向に延長させた形のカバー用筒状部を形成し、スプリングが最も長くなった状態でもこれを覆うようにしたので、利用者が操作するときの危険性を回避することができる。
【００５４】
さらに、スプリング下側受け部をシリンダの内周面に形成し、スプリングの長さを長くしたので、ピストンを上に付勢する力が強くなり、ピストンが復動するときに内容物が早く蛇腹部内に流入する。そのため、利用者が必要な量を出すためにこの容器用ポンプを連続して複数回操作するときにも時間がかからない。
【００５５】
蛇腹部の上下方向の移動範囲と対応した部分のシリンダ内周面に孔部や溝部などの凹部を形成したので、蛇腹部の外周面とシリンダ内周面との接触面積が少なくなり、蛇腹部のシリンダ内の動きはスムーズになる。したがってピストンが往動するときすなわち、操作ボタンを押すときの動きもスムーズになり、利用者にとって使い勝手が良い容器用ポンプを提供することができる。
【図面の簡単な説明】
【図１】本発明の、ピストンが上動した状態を示す説明図である。
【図２】本発明の、ピストンが下動した状態を示す説明図である。
【図３】本発明の、減圧防止用孔部に対するシール状態（ａ）、およびこのシール作用が解除された状態（ｂ）を示す拡大図である。
【図４】本発明の、蛇腹部の移動範囲に対応した部分のシリンダ断面（図１のＨ−Ｈ’部分）を示す説明図である。
【図５】従来の、容器用ポンプを示す説明図である。
【符号の説明】
１・・・・操作ボタン
１ａ・・・放出用通路
２・・・・ボールなどの上方弁
３・・・・ピストン
３ａ・・・スプリングの上側取付部
４・・・・キャップ
４ａ・・・キャップの一部で、スプリングの下側受け部
４ｂ・・・カバー用筒状部
５・・・・環状のシール部材
６・・・・シリンダ
６ａ・・・鍔部
６ｂ・・・減圧防止用孔部
６ｃ・・・凸部
６ｄ・・・シリンダ内周面の孔部（貫通部）
７・・・・スプリング
７ａ・・・スプリングの上端部
７ｂ・・・スプリングの下端部
８・・・・中間円筒状体
８ａ・・・外側環状部（シール部分）
８ｂ・・・通気孔
８ｃ・・・内側上縁部
９・・・・蛇腹部（軟質筒状部材）
１０・・・円筒状の吸上管接続体
１１・・・円筒状の中子
１２・・・柱状体
１２ａ・・内容物通過用孔部
１２ｂ・・縦方向の溝部
１３・・・ボールなどの下方弁
１４・・・内容物の吸上管
Ａ・・・・内容物吸上用・放出用ルート
Ｂ・・・・減圧防止用ルート
Ｃ・・・・隙間部分
Ｌ1 、Ｌ1'・・シリンダ内面の上方部分
Ｌ2 、Ｌ2'・・シリンダ内面の下方部分
Ｄ1 ・・・シリンダ内面の上方部分Ｌ1 に続く最上部分の内径
Ｄ2 ・・・シリンダ内面の上方部分Ｌ1'の内径
Ｄ3 ・・・シリンダ内面の下方部分Ｌ2'の内径
【図１】
0003691930.tif 000002
【図２】
0003691930.tif 000003
【図３】
0003691930.tif 000004
【図４】
0003691930.tif 000005
【図５】
0003691930.tif 000006